(57)【要約】【課題】被搬送物の進行方向を正逆反転させることができる振動コンベアを提供する。【解決手段】トラフ５の支持手段１３は、ベースレバー１５と振動レバー１７とよりなるレバー組立１９を備え、ベースレバーと振動レバーとは下端にて共通の連結軸２１を介して相互に回動自在に連結され、ベースレバーは上端にて第一支軸２３を介してフレームに回動自在に支持され、振動レバーは上端にて第二支軸２５を介してトラフに回動自在に連結され、該ベースレバーの両側縁にはブロックを突設し、ベースレバーの各ブロックと振動レバーの各側縁との間に弾性手段を取り付け、ベースレバーに弾性手段を介して振動レバーを連結軸を揺動中心として揺動自在に抱持させてなり、レバー組立をベースレバーの第一支軸を回動中心として回動させて、レバー組立の傾斜角度を切換えることにより、被搬送物の進行方向を正逆反転させる。【選択図】図１
2015101422.tif 000002
【特許請求の範囲】
【請求項１】
フレームには支持手段を介してトラフを往復振動自在に支持させ、該トラフに加振源により振動を与えるようにしてなる振動コンベアにおいて、
前記支持手段は、ベースレバーと振動レバーとよりなるレバー組立を備え、該ベースレバーと振動レバーとはそれぞれ下端にて共通の連結軸を介して相互に回動自在に連結され、該ベースレバーは上端にて第一支軸を介して前記フレームに回動自在に支持され、該振動レバーは上端にて第二支軸を介して前記トラフに回動自在に連結され、該ベースレバーの両側縁にはブロックを突設し、該ベースレバーの各ブロックと該振動レバーの各側縁との間に弾性手段を取り付け、以て該ベースレバーに該弾性手段を介して該振動レバーを該連結軸を揺動中心として揺動自在に抱持させてなり、
前記レバー組立を前記ベースレバーの第一支軸を回動中心として回動させて、前記トラフの長さ方向に関する該レバー組立の傾斜角度を、該トラフ上の被搬送物が一定方向に進行する角度である第一角度と該トラフ上の被搬送物が反対方向に進行する角度である第二角度との間で切換えることにより、被搬送物の進行方向を正逆反転させることができるようにしたことを特徴とする振動コンベア。
【請求項２】
前記第一支軸の中心線と前記第二支軸の中心線との間隔が２０ｍｍ未満であることを特徴とする請求項１に記載の振動コンベア。
【請求項３】
前記第一支軸の中心線と前記第二支軸の中心線とが略同一直線状にあることを特徴とする請求項１に記載の振動コンベア。
【発明の詳細な説明】
【技術分野】
【０００１】
本発明は、振動コンベアに関するものであり、特に、被搬送物の進行方向を正逆反転させることができるようにした振動コンベアに係るものである。
【背景技術】
【０００２】
振動コンベアとしては、例えば特開平１０−１９７１５４号公報に示すように、フレーム１１に支持手段６を介してトラフ５を往復振動自在に支持させ、該トラフ５に加振源により振動を与えるようにしてなるものが既に知られている。図７参照。以下、この振動コンベアを「従来の振動コンベア」という。
【先行技術文献】
【特許文献】
【０００３】
【特許文献１】特開平１０−１９７１５４号公報
【発明の概要】
【発明が解決しようとする課題】
【０００４】
従来の振動コンベアにおいては、トラフ５上の被搬送物は該トラフ５の長さ方向に関する支持手段６の傾斜方向により定まる一定方向にのみ搬送され、該被搬送物を反対方向に搬送することができない。換言すれば、従来の振動コンベアにおいては、被搬送物の進行方向を正逆反転させることができない。図７参照。
【０００５】
したがって、被搬送物を一定方向と反対方向とに順次搬送する場合には、例えば図７に示すように、被搬送物を一定方向に搬送する振動コンベア１と被搬送物を反対方向に搬送する振動コンベア３とを搬送方向における上流側端１ａ、３ｂを相互に近接させた状態で連設し、被搬送物を供給する被搬送物供給装置４の振り分け手段４ａを該搬送コンベア１、３における当該上流側端１ａ、３ａの近傍に臨ませた状態で配設し、該被搬送物供給装置４により送られる被搬送物を該振り分け手段４ａにて振り分けて該搬送コンベア１又は３の上流側端１ａ又は３ａに順次供給する必要がある。
【０００６】
このように、従来の振動コンベアにおいては、被搬送物を一定方向と反対方向とに順次搬送する場合には、２台の振動コンベア１、３と振り分け手段４ａを備えた被搬送物供給装置４とを配設する必要があるため、設備費が嵩むと共に大きなスペースを要するという問題がある。
【０００７】
本発明は、被搬送物を一定方向と反対方向とに順次搬送する場合における従来の振動コンベアが抱える上述の如き問題を解決するために、被搬送物の進行方向を正逆反転させることができるようにした振動コンベアを提供しようとしてなされたものである。
【課題を解決するための手段】
【０００８】
上記課題を解決するために、本発明は、下記の振動コンベアを提供するものである。
【０００９】
（１）フレームには支持手段を介してトラフを往復振動自在に支持させ、該トラフに加振源により振動を与えるようにしてなる振動コンベアにおいて、
前記支持手段は、ベースレバーと振動レバーとよりなるレバー組立を備え、該ベースレバーと振動レバーとはそれぞれ下端にて共通の連結軸を介して相互に回動自在に連結され、該ベースレバーは上端にて第一支軸を介して前記フレームに回動自在に支持され、該振動レバーは上端にて第二支軸を介して前記トラフに回動自在に連結され、該ベースレバーの両側縁にはブロックを突設し、該ベースレバーの各ブロックと該振動レバーの各側縁との間に弾性手段を取り付け、以て該ベースレバーに該弾性手段を介して該振動レバーを該連結軸を揺動中心として揺動自在に抱持させてなり、
前記レバー組立を前記ベースレバーの第一支軸を回動中心として回動させて、前記トラフの長さ方向に関する該レバー組立の傾斜角度を、該トラフ上の被搬送物が一定方向に進行する角度である第一角度と該トラフ上の被搬送物が反対方向に進行する角度である第二角度との間で、切換えることにより、被搬送物の進行方向を正逆反転させることができるようにしたことを特徴とする振動コンベア（請求項１）。
【００１０】
（２）前記第一支軸の中心線と前記第二支軸の中心線との間隔が２０ｍｍ未満である（請求項２）。
【００１１】
（３）前記第一支軸の中心線と前記第二支軸の中心線とが略同一直線状にある（請求項３）。
【発明の効果】
【００１２】
[請求項１の発明]
レバー組立の角度を前記第一角度と前記第二角度との間で切換えることにより、被搬送物の進行方向を正逆反転させることができるため、被搬送物を一定方向と反対方向とに順次搬送する場合でも、単一の振動コンベアのみで作業を行うことができ、振り分け手段を備えた被搬送物供給装置も不要である。したがって、本発明によれば、設備費を削減することができるのみならず、作業場におけるスペースの節約を図ることも可能となる。
【００１３】
[請求項２の発明]
前記第一支軸の中心線と前記第二支軸の中心線との間の間隔が２０ｍｍ未満であるため、加振源によるトラフの略均一な往復振動が確保される。
【００１４】
[請求項３の発明]
前記第一支軸の中心線と前記第二支軸の中心線とが略同一直線状にあるため、加振源によるトラフの均一な往復振動が確保される。
【図面の簡単な説明】
【００１５】
【図１】図１は、本発明による振動コンベアにおける支持手段の一例を示す正面図である。
【図２】図２は、該支持手段におけるレバー組立の一例を概略的に示す側面図である。
【図３】図３は、レバー組立におけるベースレバーの一例を示す側面図である。
【図４】図４は、レバー組立における振動レバーの一例を示す側面図である。
【図５】図５は、第一支軸の中心線と第二支軸の中心線との間隔を示す参考図である。
【図６】図６は、本発明による振動コンベアの一例を概略的に示す側面図である。
【図７】図７は、従来の振動コンベアの使用状態を概略的に示す説明図である。
【発明を実施するための形態】
【００１６】
本発明による振動コンベアは、フレーム１１に支持手段１３を介してトラフ５を往復振動自在に支持させ、該トラフ５に加振源７により振動を与えるようにしてなる点において、従来の振動コンベアと共通している。
【００１７】
トラフ５は、被搬送物を載せて送るようにした長尺体であって、例えば断面略上向きコ字状ないし略Ｕ字状をなす。
【００１８】
しかして、本発明においてトラフ５を往復振動自在に支持する支持手段１３は、ベースレバー１５と振動レバー１７とよりなるレバー組立１９を備えている。該ベースレバー１５と振動レバー１７とはそれぞれ下端１５ａ、１７ａにて共通の連結軸２１を介して回動自在に連結されている。該ベースレバー１５は上端１５ｂにて第一支軸２３を介して前記フレーム１１に回動自在に支持されている。該振動レバー１７は上端１７ｂにて第二支軸２５を介して前記トラフ５に回動自在に連結されている。符号２６、２８に示すものは第二支軸２５とトラフ５とを連結する連結手段である。
【００１９】
該ベースレバー１５の両側縁１５ｃ、１５ｄにはブロック２７ａ、２７ｂを突設し、該ベースレバー１５の各ブロック２７ａ、２７ｂと該振動レバー１７の各側縁１７ｃ、１７ｄとの間に弾性手段２９ａ、２９ｂを取り付け、以て該ベースレバー１５に該弾性手段２９ａ、２９ｂを介して該振動レバー１７を揺動自在に抱持させる。すなわち、該揺動レバー１７は、該連結軸２１を揺動中心として揺動自在にベースレバー１５により抱持される。したがって、ベースレバー１５と振動レバー１７とは、一体化して略同一の姿勢を保ち、レバー組立１９を構成する。弾性手段２９ａ、２９ｂとしては、例えば、ばね、ウレタンゴム、空圧式エアスプリング等が使用される。
【００２０】
ベースレバー１５を示す図３において、符号３１に示すものは連結軸２１を挿通させる挿通孔であり、符号３３に示すものは第一支軸２３の受け孔である。揺動レバー１７を示す図４において、符号３５に示すものは連結軸２１を挿通させる挿通孔であり、符号３７に示すものは第二支軸２５の受け孔である。
【００２１】
本発明においては、図２に示すように、レバー組立１９をベースレバー１５の第一支軸２３を回動中心として回動させて、トラフ５の長さ方向に関する該レバー組立１９の傾斜角度を、該トラフ５上の被搬送物が一定方向に進行する角度である第一角度Ａと該トラフ５上の被搬送物が反対方向に進行する角度である第二角度Ｂとの間で、切換えることにより、被搬送物の進行方向を正逆反転させるようになす。すなわち、レバー組立１９が第一角度Ａにあるときと第二角度Ｂにあるときとでは、トラフ５が振動する方向が逆になり、トラフ５上の被搬送物の進行方向が逆になるため、レバー組立１９の傾斜角度を第一角度Ａと第二角度Ｂとの間で切換えることにより、トラフ５上の被搬送物の進行方向を正逆反転させることができる。
【００２２】
トラフ５に振動を与える加振源７は、いかなるものであってもよいが、例えば、電気モータ式バイブレーション振動機、電気モータにより駆動されるエキセントリック機構等が使用される。図１において符号３９に示すものは加振源７により生じた振動をトラフ５に伝える振動伝達手段である。
【００２３】
前記支持手段１３は、トラフ５の左右両側にそれぞれ複数配設されている。各レバー組立１９の傾斜角度を第一角度Ａと第二角度Ｂとの間で切換えるための手段として、例えば、エアシリンダ等のアクチュエータ４１を配設する。
【００２４】
前記第一支軸２３の中心線２３ａと前記第二支軸２５の中心線２５ａとの間隔Ｃは、好ましくは２０ｍｍ未満とし、更に好ましくは、該第一支軸２３の中心線２３ａと該第二支軸２５の中心線２５ａとが略同一直線状にあるものとする。
【符号の説明】
【００２５】
１  振動コンベア
１ａ  上流側端
３  振動コンベア
３ａ  上流側端
４  被搬送物供給装置
４ａ  振り分け手段
５  トラフ
６  支持手段
７  加振源
１１  フレーム
１３  支持手段
１５  ベースレバー
１５ａ  下端
１５ｂ  上端
１５ｃ  側縁
１５ｄ  側縁
１７  振動レバー
１７ａ  下端
１７ｂ  上端
１７ｃ  側縁
１７ｄ  側縁
１９  レバー組立
２１  連結軸
２３  第一支軸
２５  第二支軸
２６  連結手段
２７ａ  ブロック
２７ｂ  ブロック
２８  連結手段
２９ａ  弾性手段
２９ｂ  弾性手段
３１  挿通孔
３３  受け孔
３５  挿通孔
３７  受け孔
３９  振動伝達手段
４１  アクチュエータ
【図１】
2015101422.tif 000003
【図２】
2015101422.tif 000004
【図３】
2015101422.tif 000005
【図４】
2015101422.tif 000006
【図５】
2015101422.tif 000007
【図６】
2015101422.tif 000008
【図７】
2015101422.tif 000009